(57)【要約】      （修正有）【課題】封止すべき部品の端部への樹脂供給量が不足して、当該部品および基板間の間隙への樹脂の浸透が起こらず濡れ広がってしまうことを防止した半導体装置を提供する。【解決手段】半導体装置１は、実装配線基板１０と、実装配線基板１０上に実装された半導体チップ２０と、実装配線基板１０および半導体チップ２０間の間隙に設けられたアンダーフィル樹脂３０と、実装配線基板１０上の半導体チップ２０の近傍に設けられ、アンダーフィル樹脂３０の上記間隙への流入を促す流入促進部４０と、を備えている。【選択図】図１
2008124140.tif 000002
【特許請求の範囲】
【請求項１】
第１の電子部品と、
前記第１の電子部品上に実装された第２の電子部品と、
前記第１および第２の電子部品間の間隙に設けられたアンダーフィル樹脂と、
前記第１の電子部品上の前記第２の電子部品の近傍に設けられ、前記アンダーフィル樹脂の前記間隙への流入を促す流入促進部と、
を備えることを特徴とする半導体装置。
【請求項２】
請求項１に記載の半導体装置において、
前記第１の電子部品上には、ソルダーレジストが設けられており、
前記流入促進部は、前記ソルダーレジストの開口部として形成されている半導体装置。
【請求項３】
請求項２に記載の半導体装置において、
前記開口部は、前記間隙まで達している半導体装置。
【請求項４】
請求項２または３に記載の半導体装置において、
前記開口部の、前記第２の電子部品と反対側の周縁部に設けられた突出部を備える半導体装置。
【請求項５】
請求項１に記載の半導体装置において、
前記第１の電子部品上には、ソルダーレジストが設けられており、
前記流入促進部は、前記ソルダーレジストの突出部として形成されている半導体装置。
【請求項６】
請求項１乃至５いずれかに記載の半導体装置において、
前記流入促進部は、平面視で、前記第２の電子部品側に凹部を有する形状をしている半導体装置。
【請求項７】
請求項１乃至６いずれかに記載の半導体装置において、
前記流入促進部は、前記アンダーフィル樹脂の塗布が開始される地点を、前記第２の電子部品と反対の側から囲むように設けられている半導体装置。
【請求項８】
請求項１乃至７いずれかに記載の半導体装置において、
前記流入促進部は、前記第２の電子部品の角部の近傍に設けられている半導体装置。
【請求項９】
請求項１乃至８いずれかに記載の半導体装置において、
前記流入促進部は、平面視で、円の一部に相当する形状を有し、かつその開放部が前記第２の電子部品に向いている半導体装置。
【請求項１０】
請求項１乃至８いずれかに記載の半導体装置において、
前記流入促進部は、平面視で、矩形の一部に相当する形状を有し、かつその開放部が前記第２の電子部品に向いている半導体装置。
【請求項１１】
請求項１０に記載の半導体装置において、
前記矩形の前記一部は、当該矩形の２辺である半導体装置。
【請求項１２】
請求項１０に記載の半導体装置において、
前記矩形の前記一部は、当該矩形の３辺である半導体装置。
【請求項１３】
請求項１乃至１２いずれかに記載の半導体装置を製造する方法であって、
第１の電子部品上に第２の電子部品を実装する工程と、
前記第１および第２の電子部品間の間隙に、アンダーフィル樹脂を注入する工程と、を含み、
前記アンダーフィル樹脂を注入する工程においては、前記第２の電子部品と前記流入促進部との間の地点から当該アンダーフィル樹脂の塗布を開始することを特徴とする半導体装置の製造方法。
【発明の詳細な説明】
【技術分野】
【０００１】
本発明は、半導体装置およびその製造方法に関する。
【背景技術】
【０００２】
半導体チップと配線基板、または半導体チップ同士を対向させ、バンプ電極によって接続させるフリップチップ接続技術は、半導体装置の高密度化・小型化・高機能化を実現するための実装技術として注目されている。また、このフリップチップ接続を行なった際には、接続部を保護し、信頼性を向上させる事を目的として、一般的には接続部にアンダーフィル樹脂を充填する。この充填方法としては、フリップチップ接続された上側チップの端部にアンダーフィル樹脂を塗布し、毛細管現象により樹脂を部品間に浸透させ、充填させる方式が一般にとられている。
【０００３】
また、半導体装置の小型化と薄型化が更に進むにつれ、非常に狭い隙間へのアンダーフィル注入が必要となるが、一方ではアンダーフィル樹脂の下側部品上への塗布濡れ広がり面積と、フリップチップされる上側チップの裏面への樹脂這い上がりを抑制する必要がある為、微小な量のアンダーフィル樹脂を何回かに分けて繰り返して注入を行なうことが求められつつある。
【０００４】
しかしながら、塗布量が微少になると、上側チップの端部に対して充分に樹脂が供給されず、毛細管現象が発生しない場合が生じてくる。その場合、隙間に浸透しなかった樹脂は下側の基板又はチップ面で大きく広がってしまう事となり、結果として、樹脂を塗布した位置周辺には大きな濡れ広がりが残る。またその後繰り返し塗布した樹脂が既に濡れ広がった場所に流れ易くなり、本来充填すべき部品間へ供給する樹脂量が安定せず、ばらつきが生じる事となる。
【０００５】
特許文献１には、アンダーフィル樹脂の広がりを抑制する為に実装基板表面に加工を行なう技術が開示されている。同文献に記載された半導体装置においては、図１３に示すように、表面にソルダーレジスト１０１が形成された実装基板１００上に、電子部品１０２がフリップチップ実装されている。すなわち、実装基板１００と電子部品１０２とは、半田ボール１０３を介して接続され、両者間の間隙にはアンダーフィル樹脂１０４が設けられている。
【０００６】
ソルダーレジスト１０１には、開口部１０５が形成されている。この開口部１０５は、図１４および図１５に示すように、封止すべきでない部品１０６に液状樹脂の余剰分が流れ込むのを防ぐ目的で、封止すべき部品（電子部品１０２，１０８）とそうでない部品１０６とを分断するように設けられている。
【特許文献１】特開２００４−３４９３９９号公報
【発明の開示】
【発明が解決しようとする課題】
【０００７】
図１３〜図１５に示した半導体装置では、封止すべき部品の下部に必要量以上の液状樹脂が充填された場合に発生する余剰液状樹脂が、封止すべきでない部品に侵入するのを防ぐ目的で、ソルダーレジストに特定の構造を設けている。それゆえ、当該構造は、単純な仕切りの役目を果たす形状をしている。
【０００８】
しかし、小型化、薄型化が進んだ半導体装置を対象とし、微少量の樹脂塗布を行なう際には、上記構造では、封止すべき部品の端部への樹脂供給量が不足して、当該部品および基板間の間隙への樹脂の浸透が起こらず濡れ広がってしまう。このことは、上記間隙への樹脂の充填量のバラツキにつながる。
【課題を解決するための手段】
【０００９】
本発明による半導体装置は、第１の電子部品と、上記第１の電子部品上に実装された第２の電子部品と、上記第１および第２の電子部品間の間隙に設けられたアンダーフィル樹脂と、上記第１の電子部品上の上記第２の電子部品の近傍に設けられ、上記アンダーフィル樹脂の上記間隙への流入を促す流入促進部と、を備えることを特徴とする。
【００１０】
また、本発明による半導体装置の製造方法は、上記半導体装置を製造する方法であって、第１の電子部品上に第２の電子部品を実装する工程と、上記第１および第２の電子部品間の間隙に、アンダーフィル樹脂を注入する工程と、を含み、上記アンダーフィル樹脂を注入する工程においては、上記第２の電子部品と上記流入促進部との間の地点から当該アンダーフィル樹脂の塗布を開始することを特徴とする。
【００１１】
本発明においては、第２の電子部品の近傍に、第１および第２の電子部品間の間隙へのアンダーフィル樹脂の流入を促す為の流入促進部が設けられている。この流入促進部によって第２の電子部品の端部にアンダーフィル樹脂を積極的に供給することで、塗布開始時に、毛細管現象によるアンダーフィル樹脂の上記間隙への浸入が確実に開始される。また、これにより、後から塗布されるアンダーフィル樹脂についても、上記間隙へ流れる方向に樹脂流動が生じる。従って、アンダーフィル樹脂が、上記間隙へ流動せずに第１の電子部品上で濡れ広がってしまうという現象を防ぐことができる。
【発明の効果】
【００１２】
本発明によれば、アンダーフィル樹脂を良好に注入するのに適した構造の半導体装置およびその製造方法が実現される。
【発明を実施するための最良の形態】
【００１３】
以下、図面を参照しつつ、本発明による半導体装置およびその製造方法の好適な実施形態について詳細に説明する。なお、図面の説明においては、同一要素には同一符号を付し、重複する説明を省略する。
（第１実施形態）
【００１４】
図１（ａ）は、本発明による半導体装置の第１実施形態を示す平面図である。また、図１（ｂ）は、図１（ａ）のI−I線に沿った断面図である。半導体装置１は、実装配線基板１０（第１の電子部品）と、実装配線基板１０上に実装された半導体チップ２０（第２の電子部品）と、実装配線基板１０および半導体チップ２０間の間隙に設けられたアンダーフィル樹脂３０と、実装配線基板１０上の半導体チップ２０の近傍に設けられ、アンダーフィル樹脂３０の上記間隙への流入を促す流入促進部４０と、を備えている。
【００１５】
半導体チップ２０は、実装配線基板１０上にフリップチップ実装されている。すなわち、実装配線基板１０と半導体チップ２０とは、半田ボール５２を介して接続され、両者間の間隙にはアンダーフィル樹脂３０が設けられている。なお、図１（ｂ）からわかるようにアンダーフィル樹脂３０の一部分は上記間隙の外側に存在しているが、図１（ａ）においては当該部分の図示を省略している。
【００１６】
実装配線基板１０上には、ソルダーレジスト１２が設けられている。流入促進部４０は、半導体チップ２０の角部の近傍、具体的にはアンダーフィル樹脂３０の塗布が開始される地点の近傍に設けられている。この流入促進部４０は、ソルダーレジスト１２の開口部として形成されている。図１（ａ）からわかるように、流入促進部４０は、平面視で、半導体チップ２０側に凹部を有する形状をしており、上記地点を半導体チップ２０と反対の側から囲むように設けられている。本実施形態において流入促進部４０は、平面視で、矩形の一部（当該矩形の３辺）に相当する形状をし、かつその開放部が半導体チップ２０に向いている。
【００１７】
図２〜図６を参照しつつ、本発明による半導体装置の製造方法の一実施形態として、半導体装置１の製造方法の一例を説明する。図２（ａ）は図１（ａ）に対応する平面図であり、図２（ｂ）は図１（ｂ）に対応する断面図である。図３〜図６についても同様である。まず、実装配線基板１０上に半導体チップ２０をフリップチップ実装する（図２（ａ）、図２（ｂ））。
【００１８】
次に、実装配線基板１０および半導体チップ２０間の間隙にアンダーフィル樹脂３０を注入する。アンダーフィル樹脂３０の塗布は、半導体チップ２０と流入促進部４０との間の地点から開始される（図３（ａ）、図３（ｂ））。したがって、流入促進部４０のうち半導体チップ２０から最も離れた部分は、アンダーフィル樹脂３０を塗布するためにニードル５４が下ろされる位置よりも、半導体チップ２０から遠い位置に設けられる。例えば、ニードル５４の外径が３００μmの場合では、半導体チップ２０から流入促進部４０までの距離（図２（ｂ）に示した距離ｄ１）を５００μm程度とするのが好ましい。
【００１９】
すると、アンダーフィル樹脂３０の実装配線基板１０上での濡れ広がりは流入促進部４０で塞き止められ、アンダーフィル樹脂３０が半導体チップ２０に向かって流動する。その結果、ある一定以上の量が塗布されてアンダーフィル樹脂３０が半導体チップ２０に到達すると、毛細管現象により、半導体チップ２０および実装配線基板１０間の間隙にアンダーフィル樹脂３０が浸入し始める（図４（ａ）、図４（ｂ））。
【００２０】
次に、ニードル５４を半導体チップ２０の辺に沿って移動させながら、アンダーフィル樹脂３０の塗布を続ける（図５（ａ）、図５（ｂ））。ニードル５４の軌跡を図中に矢印Ａ１で示している。このとき、既に毛細管現象による浸入が開始されているため、後から塗布されるアンダーフィル樹脂３０も上記間隙に向かって流動する。その後、同様のニードル動作で必要な回数だけアンダーフィル樹脂３０の塗布を繰り返す。以上により、半導体チップ２０の外周部全体にフィレットが形成された状態となる（図６（ａ）、図６（ｂ））。
【００２１】
本実施形態の効果を説明する。本実施形態においては、半導体チップ２０の近傍に、実装配線基板１０および半導体チップ２０間の間隙へのアンダーフィル樹脂３０の流入を促す為の流入促進部４０が設けられている。この流入促進部４０によって半導体チップ２０の端部にアンダーフィル樹脂３０を積極的に供給することで、塗布開始時に、毛細管現象によるアンダーフィル樹脂３０の上記間隙への浸入が確実に開始される。
【００２２】
また、これにより、後から塗布されるアンダーフィル樹脂３０についても、上記間隙へ流れる方向に樹脂流動が生じる。従って、アンダーフィル樹脂３０が、上記間隙へ流動せずに実装配線基板１０上で濡れ広がってしまうという現象を防ぐことができる。つまり、塗布の初期においてアンダーフィル樹脂３０を上記間隙へ流入させればよく、一旦流入が開始された後は、流入促進部４０をアンダーフィル樹脂３０がある程度乗り越えても問題ない。よって、アンダーフィル樹脂３０を良好に注入するのに適した構造の半導体装置１およびその製造方法が実現されている。
（第２実施形態）
【００２３】
図７（ａ）および図７（ｂ）は、それぞれ本発明の第２実施形態を示す平面図および断面図である。また、図７（ｃ）は、図７（ａ）の一部（点線で囲まれた部分）を拡大して示した平面図である。本実施形態においては、ソルダーレジスト１２に、アンダーフィル樹脂３０の塗布が開始される地点Ｐ１を含む開口部が、流入促進部４０として形成されている。この開口部は、実装配線基板１０および半導体チップ２０間の間隙まで達している。こうすることで、塗布開始時にアンダーフィル樹脂３０の流動を上記開口部に沿って行わせることができ、安定した毛細管現象による樹脂注入を促すことができる。本実施形態のその他の構成および効果は、第１実施形態と同様である。
（第３実施形態）
【００２４】
図８は、本発明の第３実施形態を示す断面図である。本実施形態においては、ソルダーレジスト１２の塗布開始地点の付近に、凸形状のダム部（突出部）が流入促進部４０として形成されている。このダム部でアンダーフィル樹脂３０を堰き止め、半導体チップ２０に向けてアンダーフィル樹脂３０を流動させてやることで、塗布開始時に安定した毛細管現象による樹脂注入を促すことができる。ダム部の形状は、第１実施形態で示したものと同様に、半導体チップ２０へ向かうアンダーフィル樹脂３０の流動を促す形状であることが好ましい。本実施形態のその他の構成および効果は、第１実施形態と同様である。
（第４実施形態）
【００２５】
図９は、本発明の第４実施形態を示す断面図である。開口部４２の、半導体チップ２０と反対側の周縁部に、凸形状のダム部４４（突出部）が形成されている。これらの開口部４２およびダム部４４によって流入促進部４０が構成されている。こうすることで、更に確実に流入促進部４０で樹脂を堰き止め、半導体チップ２０へ向けてアンダーフィル樹脂３０を流動させてやることができ、塗布開始時に安定した毛細管現象による樹脂注入を促す事ができる。開口部４２およびダム部４４の形状は、第１および第２実施形態で示したものと同様に、半導体チップ２０へ向かうアンダーフィル樹脂３０の流動を促す形状であることが好ましい。本実施形態のその他の構成および効果は、第１実施形態と同様である。
【００２６】
本発明による半導体装置およびその製造方法は、上記実施形態に限定されるものではなく、様々な変形が可能である。例えば、流入促進部４０の平面形状については、上記実施形態に示したもの他にも、図１０〜図１２に示す形状が考えられる。これらの図は、図７（ｃ）に対応する平面図である。図１０においては、流入促進部４０が、平面視で円の一部に相当する形状をし、かつその開放部が半導体チップ２０に向いている。図１１においては、流入促進部４０が、平面視で矩形の２辺に相当する形状をし、かつその開放部が半導体チップ２０に向いている。また、図１２においては、流入促進部４０の一部が、塗布開始地点Ｐ１を横切って、実装配線基板１０および半導体チップ２０間の間隙まで達している。図１０〜図１２に示した何れの流入促進部４０も、平面視で、半導体チップ２０側に凹部を有する形状をしている。
【００２７】
また、上記実施形態においては第１の電子部品として配線基板を例示したが、第１の電子部品は半導体チップであってもよい。すなわち、本発明による半導体装置は、フリップチップ型に限らず、チップオンチップ型であってもよい。
【図面の簡単な説明】
【００２８】
【図１】（ａ）および（ｂ）は、それぞれ本発明による半導体装置の第１実施形態を示す平面図および断面図である。
【図２】（ａ）および（ｂ）は、それぞれ本発明による半導体装置の製造方法の一実施形態を説明するための平面図および断面図である。
【図３】（ａ）および（ｂ）は、それぞれ本発明による半導体装置の製造方法の一実施形態を説明するための平面図および断面図である。
【図４】（ａ）および（ｂ）は、それぞれ本発明による半導体装置の製造方法の一実施形態を説明するための平面図および断面図である。
【図５】（ａ）および（ｂ）は、それぞれ本発明による半導体装置の製造方法の一実施形態を説明するための平面図および断面図である。
【図６】（ａ）および（ｂ）は、それぞれ本発明による半導体装置の製造方法の一実施形態を説明するための平面図および断面図である。
【図７】（ａ）および（ｂ）は、それぞれ本発明の第２実施形態を示す平面図および断面図である。（ｃ）は、（ａ）の一部を拡大して示した平面図である。
【図８】本発明の第３実施形態を示す断面図である。
【図９】本発明の第４実施形態を示す断面図である。
【図１０】実施形態の変形例を説明するための平面図である。
【図１１】実施形態の変形例を説明するための平面図である。
【図１２】実施形態の変形例を説明するための平面図である。
【図１３】従来の半導体装置を示す断面図である。
【図１４】従来の半導体装置を示す平面図である。
【図１５】従来の半導体装置を示す平面図である。
【符号の説明】
【００２９】
１    半導体装置
１０    実装配線基板
１２    ソルダーレジスト
２０    半導体チップ
３０    アンダーフィル樹脂
４０    流入促進部
４２    開口部
４４    ダム部
５２    半田ボール
５４    ニードル
Ｐ１    塗布開始地点
【図１】
2008124140.tif 000003
【図２】
2008124140.tif 000004
【図３】
2008124140.tif 000005
【図４】
2008124140.tif 000006
【図５】
2008124140.tif 000007
【図６】
2008124140.tif 000008
【図７】
2008124140.tif 000009
【図８】
2008124140.tif 000010
【図９】
2008124140.tif 000011
【図１０】
2008124140.tif 000012
【図１１】
2008124140.tif 000013
【図１２】
2008124140.tif 000014
【図１３】
2008124140.tif 000015
【図１４】
2008124140.tif 000016
【図１５】
2008124140.tif 000017